(57)【要約】【課題】トレーやドロワ部を引き出したときに、装置内の回路素子等に影響を与えずにレーザ光源の点灯を確実に防止する。【解決手段】ドロワ部４がキャビネット２の所定の位置に収納されていないとき、収納検出スイッチ１４からＣＰＵ１０に低レベルの信号を出力する。ＣＰＵ１０は収納検出スイッチ１４から低レベルの信号を入力すると、駆動用トランジスタＱ２のベースに低レベルの信号を送る。駆動用トランジスタＱ２は低レベルの信号を入力するとスイッチングトランジスタＱ１をオフにして電源１２から点灯用出力端子２１を介してドライバＩＣ１６と処理アンプ１８に供給している電圧を遮断する。【選択図】    図２
2004280934.tif 000002
【特許請求の範囲】
【請求項１】
筐体内に設けられた第１の電装基板と、前記筐体に出し入れ自在に設けられ、レーザ光源と受光素子とを有する光ピックアップと、該光ピックアップの駆動を制御する駆動回路とを有する第２の電装基板を搭載したドロワ部とを有し、
前記第１の電装基板には、主制御部と電源処理回路及び前記ドロワ部が所定の収納位置にあるか否を検出する収納検出スイッチを有し、前記電源処理回路には、電源から供給された電圧を前記第２の電装基板に出力する駆動用電源回路と、電源から供給された電圧を前記光ピックアップに出力する点灯用電源回路とを有し、該点灯用電源回路には前記光ピックアップに出力する電圧を断続するスイッチング回路を有し、
前記主制御部は、前記ドロワ部が所定の収納位置にないときに前記収納検出スイッチから出力される信号により、前記電源処理回路の点灯用電源回路に設けたスイッチング回路を遮断することを特徴とする光ディスク装置。
【請求項２】
前記電源処理回路に、前記主制御部から出力する信号で前記点灯用電源回路に設けたスイッチング回路の動作を制御するとともに前記収納検出スイッチから出力する信号を入力して前記スイッチング回路の動作を制御する駆動制御回路を有する請求項１記載の光ディスク装置。
【請求項３】
前記主制御部は、省電力モードが設定されたとき、前記電源処理回路の点灯用電源回路に設けたスイッチング回路を遮断する請求項１又は２記載の光ディスク装置。
【請求項４】
筐体内に設けられた第１の電装基板と、前記筐体に出し入れ自在に設けられ、レーザ光源と受光素子とを有する光ピックアップと、該光ピックアップの駆動を制御する駆動回路とを有する第２の電装基板を搭載したドロワ部とを有し、
前記第１の電装基板には、主制御部と電源処理回路及び前記ドロワ部が所定の収納位置にあるか否を検出する複数の収納検出スイッチを有し、前記電源処理回路には、電源から供給された電圧を前記第２の電装基板に出力する駆動用電源回路と、電源から供給された電圧を前記光ピックアップに出力する点灯用電源回路とを有し、前記駆動用電源回路には前記第２の電装基板に出力する電圧を断続するスイッチング回路を有し、前記点灯用電源回路には前記光ピックアップに出力する電圧を断続するスイッチング回路を有し、
前記主制御部は、前記複数の収納検出スイッチのいずれか又は全てから前記ドロワ部が所定の収納位置にないことを示す信号を出力したとき、前記電源処理回路の点灯用電源回路に設けたスイッチング回路を遮断し、前記複数の収納検出スイッチのいずれかからだけ前記ドロワ部が所定の収納位置にないことを示す信号が出力したとき、前記駆動用電源回路に設けたスイッチング回路も遮断することを特徴とする光ディスク装置。
【請求項５】
前記電源処理回路の点灯用電源回路に設けたスイッチング回路の動作状態を表示する表示装置を有する請求項１乃至４のいずれかに記載の光ディスク装置。
【発明の詳細な説明】
【０００１】
【発明の属する技術分野】
この発明は、光ピックアップとディスク駆動部を搭載し、キャビネット部からスライドして引き出して光ディスクを着脱するドロワ部を有する光ディスク装置、特にドロワ部を引き出した時のレーザ発光素子の点灯の防止に関するものである。
【０００２】
【従来の技術】
【特許文献１】特開平５−１３５３９７号公報
【特許文献２】特開２００２−７４７２０号公報
光ディスク装置に光ディスクを着脱する際の方式を分類すると、光ディスク装置にスリット状の窓を設けて出し入れする方式と、光ディスク装置から光ディスクを乗せるためのトレーだけがスライドして出し入れする方式と、光ディスク装置から光ピックアップとディスク駆動部を搭載した可動体であるドロワ部をスライドして出し入れする方式と、光ディスクの搭載部が蓋状に開閉する方式の４種類がある。近年ではノート型パソコンでも光ディスク装置の搭載が一般化されており、光ピックアップとディスク駆動部を搭載したドロワ部を有する方式が多く採用されている。
【０００３】
この光ディスク装置では、光ディスクに情報を記録したり、記録した情報を再生するためのレーザ光を直視することがないようにすることが安全規格で定められている。このため特許文献１に示すように、光ディスクが光ディスク装置の正常位置に確実に装着されたことをスイッチで検出し、正常に装着された光ディスクを回転し、光ディスクの回転数が所定回転数に達したときにレーザダイオードを点灯させるようにしたり、特許文献２に示すように、トレーやドロワ部と光ディスクを回転する回転機構ユニットが光ディスク装置の所定の位置にあるときだけ導通してレーザダイオードを点灯する接点部を設け、光ディスクを着脱するときにはレーザダイオードが点灯しないようにしている。
【０００４】
【発明が解決しようとする課題】
しかしながら光ディスクを装着するトレーやドロワ部を有する方式では、トレーやドロワ部を引き出したときにレーザダイオードやその周囲の部分まで触れることが可能な状態であるため、故意ではないにしても金属片や導電性のある液体等により前記スイッチや接点部又はその周辺部の回路が短絡してレーザダイオードが点灯する危険性がある。
【０００５】
この危険性を回避するため、トレーやドロワ部を引き出したときに、光ディスク装置の電源を切断することも考えられるが、再起動の時間が多く必要となったり、装置内の回路素子等の温度状態が変化して特性が不安定になるなどの不具合が発生してしまう。
【０００６】
この発明はかかる不具合を解消し、トレーやドロワ部を引き出したときに、装置内の回路素子等に影響を与えずにレーザ光源の点灯を確実に防止するとともに事故によるレーザ光源の点灯を防止し、かつ省電力を図ることができる光ディスク装置を提供することを目的とするものである。
【０００７】
【課題を解決するための手段】
この発明の光ディスク装置は、筐体内に設けられた第１の電装基板と、筐体に出し入れ自在に設けられ、レーザ光源と受光素子とを有する光ピックアップと、光ピックアップの駆動を制御する駆動回路とを有する第２の電装基板を搭載したドロワ部とを有し、第１の電装基板には、主制御部と電源処理回路及びドロワ部が所定の収納位置にあるか否を検出する収納検出スイッチを有し、電源処理回路には、電源から供給された電圧を第２の電装基板に出力する駆動用電源回路と、電源から供給された電圧を光ピックアップに出力する点灯用電源回路とを有し、点灯用電源回路には光ピックアップに出力する電圧を断続するスイッチング回路を有し、主制御部は、ドロワ部が所定の収納位置にないときに収納検出スイッチから出力される信号により、電源処理回路の点灯用電源回路に設けたスイッチング回路を遮断することを特徴とする。
【０００８】
また、電源処理回路に、主制御部から出力する信号で点灯用電源回路に設けたスイッチング回路の動作を制御するとともに収納検出スイッチから出力する信号を入力してスイッチング回路の動作を制御する駆動制御回路を有することが望ましい。
【０００９】
さらに、主制御部は、省電力モードが設定されたとき、電源処理回路の点灯用電源回路に設けたスイッチング回路を遮断すると良い。
【００１０】
この発明の他の光ディスク装置は、筐体内に設けられた第１の電装基板と、筐体に出し入れ自在に設けられ、レーザ光源と受光素子とを有する光ピックアップと、光ピックアップの駆動を制御する駆動回路とを有する第２の電装基板を搭載したドロワ部とを有し、記第１の電装基板には、主制御部と電源処理回路及びドロワ部が所定の収納位置にあるか否を検出する複数の収納検出スイッチを有し、電源処理回路には、電源から供給された電圧を第２の電装基板に出力する駆動用電源回路と、電源から供給された電圧を光ピックアップに出力する点灯用電源回路とを有し、駆動用電源回路には第２の電装基板に出力する電圧を断続するスイッチング回路を有し、点灯用電源回路には光ピックアップに出力する電圧を断続するスイッチング回路を有し、主制御部は、複数の収納検出スイッチのいずれか又は全てからドロワ部が所定の収納位置にないことを示す信号を出力したとき、電源処理回路の点灯用電源回路に設けたスイッチング回路を遮断し、複数の収納検出スイッチのいずれかからだけドロワ部が所定の収納位置にないことを示す信号が出力したとき、駆動用電源回路に設けたスイッチング回路も遮断することを特徴とする。
【００１１】
また、電源処理回路の点灯用電源回路に設けたスイッチング回路の動作状態を表示する表示装置を有することが望ましい。
【００１２】
【発明の実施の形態】
図１はこの発明の光ディスク装置の構成図である。光ディスク装置１は、キャビネット２内に設けられた第１の電装基板３と、ドロワ部４に搭載された第２の電装基板５と光ピックアップ６と光ピックアップ４全体を光ディスクの半径方向に移動させるピックアップ駆動モータ７及び光ディスクを回転するディスク駆動モータ８と、第１の電装基板３と第２の電装基板５を接続するフレキシブルプリント配線板（ＦＰＣ）９を有する。
【００１３】
第１の電装基板３には、シーケンス制御を行うＣＰＵ１０と、光ディスクへの入出力信号を処理するＲＦ信号処理回路１１と、外部の電源１２のスイッチングや昇降圧制御を行う電源処理回路１３と、ドロワ部４が所定の収納位置にあるかどうかを検出する収納検出スイッチ１４を有する。このＣＰＵ１０とＲＦ信号処理回路１１は複数のＩＣで構成され、ウォブル信号と呼ばれる光ディスクのトラックの位置情報を示す信号なども検出する。また、収納検出スイッチ１４はドロワ部４との位置関係によっては第１の電装基板３以外に設けられる。
【００１４】
光ピックアップ６にはレーザダイオード（ＬＤ）１５と、レーザダイオード１５の発光を制御するドライバＩＣ１６と、光ディスクの再生信号を検出する各種のフォトダイオード（ＰＤ）１７と、フォトダイオード１７の出力電流を電圧に変換する処理アンプ１８及びこれらの素子を光ディスクに対して位置制御を行う各種アクチュエータ１９がユニットとしてまとまって設けられている。アクチュエータ１９には光ディスクのディスク面への距離を変化させるフォーカスアクチュエータとディスク面の信号のトラック方向の移動を行うトラッキングアクチュエータを有する。また、必要に応じてディスク面との傾きを変化させるチルトアクチュエータも搭載される。第２の電装基板５にはアクチュエータ１９とピックアップ駆動モータ７及びディスク駆動モータ８を駆動する駆動回路２０が設けられている。なお、光ピックアップ６にはすべてがユニットとしてまとまっている必要はなく一部が第２の電装基板５上に搭載しても良い。ドロワ部４に搭載された第２の電装基板５と光ピックアップ６は、第１の電装基板３とＦＰＣ９により接続されている。
【００１５】
この光ディスク装置１では光ディスクを着脱するときドロワ部４をキャビネット２からスライドして外部に引出して着脱し、装着した光ディスクに情報を記録したり、記録した情報を再生するときはドロワ４をキャビネット２の所定の位置に収納して行う。このドロワ部４がキャビネット２の所定の位置に収納されているか否を収納検出スイッチ１４で判別する。この収納検出スイッチ１４は安全のために、通常２組で構成され、収納検出スイッチ１４の故障や故意に収納検出スイッチ１４を操作される場合の事故を回避している。
【００１６】
この収納検出スイッチ１４とＣＰＵ１０と電源処理回路１３の構成を図２の回路図に示す。図２に示すように、電源処理回路１３の電源１２からの電圧を処理して出力する電源処理回路１３には、レーザダイオード１５の発光を制御するドライバＩＣ１６と処理アンプ１８に電圧を供給する点灯用出力端子２１と、第２の電装基板５に電圧を供給する駆動用出力端子２２を有する。電源１２とＬＤ用出力端子２１の間にはスイッチング素子例えばスイッチングトランジスタＱ１のエミッタとコレクタが接続され、スイッチングトランジスタＱ１のベースは抵抗Ｒ１を介して駆動素子例えば駆動用トランジスタＱ２のコレクタに接続され、駆動用トランジスタＱ２のエミッタは接地され、ベースはＣＰＵ１０からの信号を入力する。電源１２に直接接続した出力端子２２には、ドロワ部４がキャビネット２の所定の位置に収納されているか否を示す信号をＣＰＵ１０に送る収納検出スイッチ１４が接続されている。この収納検出スイッチ１４は、ドロワ部４がキャビネット２の所定の位置に収納されているとき、共通端子Ｃが端子Ａと接続し、ドロワ部４がキャビネット２の所定の位置に収納されていないとき、共通端子Ｃが端子Ｂに接続する。
【００１７】
そしてドロワ部４がキャビネット２の所定の位置に収納されているとき、収納検出スイッチ１４の共通端子Ｃは出力端子２２と導通し、ＣＰＵ１０に高レベルの信号を出力する。ＣＰＵ１０は収納検出スイッチ１４から高レベルの信号を入力すると、駆動用トランジスタＱ２のベースに高レベルの信号を送る。駆動用トランジスタＱ２はＣＰＵ１０から高レベルの信号を入力するとスイッチングトランジスタＱ１を駆動してオンにする。スイッチングトランジスタＱ２がオンになると、電源１２からスイッチングトランジスタＱ２を介して点灯用出力端子２１に所定の電圧を送り、ドライバＩＣ１６と処理アンプ１８に出力する。
【００１８】
また、ドロワ部４がキャビネット２の所定の位置に収納されていないとき、収納検出スイッチ１４の共通端子Ｃは接地に接続され、ＣＰＵ１０に低レベルの信号を出力する。ＣＰＵ１０は収納検出スイッチ１４から低レベルの信号を入力すると、駆動用トランジスタＱ２のベースに低レベルの信号を送る。駆動用トランジスタＱ２はＣＰＵ１０から低レベルの信号を入力するとスイッチングトランジスタＱ１をオフにする。スイッチングトランジスタＱ１がオフになると、電源１２から点灯用出力端子２１を介してドライバＩＣ１６と処理アンプ１８に供給している電圧を遮断する。
【００１９】
このようにドロワ部４がキャビネット２の所定の位置に収納されていないとき、ドライバＩＣ１６と処理アンプ１８に供給する電圧だけを第１の電装基板３に設けた電源処理回路１３で遮断することにより、装置内の他の回路素子等に影響を与えずにレーザダイオード１５の点灯を確実に防止することができる。
【００２０】
また、レーザダイオード１５の点灯を遮断する電源処理回路１３は第１の電装基板３に設けられているから、ドロワ部４をキャビネット２から引き出しても外部に露出することはなく、操作者が触れたり異物が混入して短絡事故が発生することを防ぐことができる。
【００２１】
前記説明では収納検出スイッチ１４からの信号をＣＰＵ１０に送り、ＣＰＵ１０からの信号により電源処理回路１３でレーザダイオード１５を点灯する電圧を制御する場合について説明したが、ＣＰＵ１０からの信号とともにＣＰＵ１０を介さないで収納検出スイッチ１４から直接出力する信号の両方でレーザダイオード１５を点灯する電圧を制御する場合について、図３の回路図を参照して説明する。
【００２２】
図３に示す電源処理回路１３は、スイッチングトランジスタＱ１と駆動用トランジスタＱ２の他に、収納検出スイッチ１４からの信号により駆動する駆動素子例えば駆動用トランジスタＱ３と、駆動用トランジスタＱ３からの信号により駆動して駆動用トランジスタＱ２を駆動するスイッチング素子例えばスイッチングトランジスタＱ４を有する。
【００２３】
この場合、ドロワ部４がキャビネット２の所定の位置に収納されているとき、収納検出スイッチ１４の共通端子Ｃは出力端子２２と導通し、ＣＰＵ１０と駆動用トランジスタＱ３に高レベルの信号を出力する。ＣＰＵ１０は収納検出スイッチ１４から高レベルの信号を入力すると、駆動用トランジスタＱ２のベースに高レベルの信号を送る。駆動用トランジスタＱ３は高レベルの信号を受けるとオフになり、スイッチングトランジスタＱ４をオフにして、駆動用トランジスタＱ２にＣＰＵ１０からの高レベルの信号だけを送る。駆動用トランジスタＱ２はＣＰＵ１０から高レベルの信号を入力するとスイッチングトランジスタＱ１をオンにして、電源１２からスイッチングトランジスタＱ２を介して点灯用出力端子２１に所定の電圧を送り、ドライバＩＣ１６と処理アンプ１８に出力する。
【００２４】
また、ドロワ部４がキャビネット２の所定の位置に収納されていないとき、収納検出スイッチ１４の共通端子Ｃは接地に接続され、ＣＰＵ１０と駆動用トランジスタＱ３に低レベルの信号を出力する。ＣＰＵ１０は収納検出スイッチ１４から低レベルの信号を入力すると、駆動用トランジスタＱ２のベースに低レベルの信号を送る。一方、駆動用トランジスタＱ３は低レベルの信号を入力するとオンになる。駆動用トランジスタＱ３がオンになるとスイッチングトランジスタＱ４がオンになり、駆動用トランジスタＱ２のベースに低レベルの信号を送る。駆動用トランジスタＱ２はＣＰＵ１０から低レベルの信号を入力するとスイッチングトランジスタＱ１をオフにして、電源１２から点灯用出力端子２１を介してドライバＩＣ１６と処理アンプ１８に供給している電圧を遮断する。
【００２５】
このようにＣＰＵ１０からの信号とともにＣＰＵ１０を介さないで収納検出スイッチ１４から直接出力する信号の両方でレーザダイオード１５を点灯する電圧を制御することにより、ドロワ部４がキャビネット２の所定の位置に収納されていないとき、ＣＰＵ１０が制御不能な状態になっても、レーザダイオード１５の点灯を確実に防止することができる。
【００２６】
また、図４の回路図に示すように、省電力モードで動作する省電力スイッチ２３を収納検出スイッチ１４と直列に接続し、ドロワ部４がキャビネット２の所定の位置に収納されているとき、省電力モードになって省電力スイッチ２３が接地に接続したときに、スイッチングトランジスタＱ１をオフにして、電源１２から点灯用出力端子２１を介してドライバＩＣ１６と処理アンプ１８に供給している電圧を遮断するようにすると良い。
【００２７】
さらに、図５の回路図に示すように、２組の収納検出スイッチ１４ａ，１４ｂを並列に設けても良い。この場合は、収納検出スイッチ１４ａ，１４ｂが共にキャビネット２の所定の位置にドロワ部４が収納されていることを検出したとき、ＣＰＵ１０はスイッチングトランジスタＱ１をオンにして、電源１２から点灯用出力端子２１を介してドライバＩＣ１６と処理アンプ１８に電圧を供給し、収納検出スイッチ１４ａ，１４ｂのいずれか又は両方が、キャビネット２の所定の位置にドロワ部４が収納されていないことを検出したとき、ＣＰＵ１０はスイッチングトランジスタＱ１をオフにして、電源１２から点灯用出力端子２１を介してドライバＩＣ１６と処理アンプ１８に供給する電圧を遮断する。そして収納検出スイッチ１４ａ，１４ｂのいずれかが、キャビネット２の所定の位置にドロワ部４が収納されていることを検出し、他方が検出しないとき異常と判断し、第２の電装基板５の電源回路に設けたスイッチ２４をオフにして、第２の電装基板５に供給する電圧を遮断する。このようにして予期しない事故が発生することを事前に防止することができる。また、この収納検出スイッチ１４ａ，１４ｂの動作状態、すなわちスイッチングトランジスタＱ１の動作状態をＬＥＤ等の表示装置２５に表示することにより、操作者に光ディスク装置１の動作状態を報知することができる。
【００２８】
前記説明ではドロワ部４を有する光ディスク装置１について説明したが、トレイを有する光ディスク装置にも同様に適用することができる。
【００２９】
【発明の効果】
この発明は以上説明したように、ドロワ部が筐体の所定の位置に収納されていないとき、光ピックアップに供給する電圧だけを第１の電装基板に設けた電源処理回路で遮断するようにしたから、装置内の他の回路素子等に影響を与えずに光ピックアップに設けられたレーザ光源の点灯を確実に防止することができる。
【００３０】
また、レーザ光源の点灯を遮断する電源処理回路は第１の電装基板に設けられているから、ドロワ部を筐体から引き出しても外部に露出することはなく、操作者が触れたり異物が混入して短絡事故が発生することを防ぐことができる。
【００３１】
さらに、主制御部から出力する信号で点灯用電源回路に設けたスイッチング回路の動作を制御するとともに収納検出スイッチから出力する信号を入力してスイッチング回路の動作を制御することにより、主制御部に異常が生じても、ドロワ部が筐体の所定の位置に収納されていないとき、光ピックアップに設けられたレーザ光源の点灯を確実に防止することができる。
【００３２】
また、省電力モードが設定されたとき、電源処理回路の点灯用電源回路に設けたスイッチング回路を駆動して光ピックアップに供給している電圧を遮断することにより、省電力効果を高めることができる。
【００３３】
また、収納検出スイッチを複数設け、複数の収納検出スイッチのいずれかからだけドロワ部が所定の収納位置にないことを示す信号を出力したとき、駆動用電源回路に設けたスイッチング回路も遮断することにより、予期しない事故が発生することを事前に防止することができる。
【００３４】
さらに、電源処理回路の点灯用電源回路に設けたスイッチング回路の動作状態を表示することにより、操作者に光ディスク装置の動作状態を報知することができる。
【図面の簡単な説明】
【図１】この発明の光ディスク装置の構成図である。
【図２】電源処理回路の構成を示す回路図である。
【図３】電源処理回路の第２の構成を示す回路図である。
【図４】電源処理回路の第３の構成を示す回路図である。
【図５】電源処理回路の第４の構成を示す回路図である。
【符号の説明】
１；光ディスク装置、２；キャビネット、３；第１の電装基板、
４；ドロワ部、５；第２の電装基板、６；光ピックアップ、
７；ピックアップ駆動モータ、８；ディスク駆動モータ、９；ＦＰＣ、
１０；ＣＰＵ、１１；ＲＦ信号処理回路、１２；電源、
１３；電源処理回路、１４；収納検出スイッチ、
１５；レーザダイオード、１６；ドライバＩＣ、１７；フォトダイオード、
１８；処理アンプ、１９；アクチュエータ、２０；駆動回路。
【図１】
2004280934.tif 000003
【図２】
2004280934.tif 000004
【図３】
2004280934.tif 000005
【図４】
2004280934.tif 000006
【図５】
2004280934.tif 000007